(57)【特許請求の範囲】
【請求項１】
ＭＤ方向にのみ沿って長さ１０ｍｍ以上、巾０．１ｍｍ〜３．０ｍｍ、高さ２．０ｍｍ以下の流れ模様を備えたエンボスを付与した１ｐｌｙのトイレットペーパー、キッチンタオル、又はティシュペーパーのロール製品からなることを特徴とするエンボス入り衛生紙製品。
【請求項２】
流れ模様が直線または緩やかな曲線の組合せ集合体よりなり、該組合せ集合体を構成する直線または緩やかな曲線間の相互間隔が１〜１０ｍｍである請求項１記載のエンボス入り衛生紙製品。
【請求項３】
ロール製品のエンボス入り衛生紙製品にエンボス加工を施すためのエンボス用ロールにおいて、該ロールの表面にその円周方向にのみ沿って流れ模様を備えたエンボスを付与するための、見かけ長さ１０ｍｍ以上、突條頂面の巾が０．１〜３．０ｍｍ、突條の高さが０．０１〜２．０ｍｍの突條を形成したことを特徴とするエンボス用ロール。
【請求項４】
突條が直線状または緩やかな曲線状であり、夫々の突條同士の間隔が１〜１０ｍｍである請求項３記載のエンボス用ロール。
【請求項５】
突條の頂面に滑り止めとなる微細な突起あるいは溝を設けた請求項３又は４のいずれか１項記載のエンボス用ロール。
【請求項６】
突條の側面に滑り止めとなる微細な突起あるいは溝を設けた請求項３から５までのいずれか１項記載のエンボス用ロール。
【請求項７】
突條間の底面に滑り止めとなる微細な突起あるいは溝を設けた請求項３から６までのいずれか１項記載のエンボス用ロール。
【請求項８】
１部または全部の突條の表面形状に、その長手方向に沿って規則的な振幅を持たせた請求項３から７までのいずれか１項記載のエンボス用ロール。
【請求項９】
１部または全部の突條の表面形状を、連続線状もしくは破線状とした請求項３から８までのいずれか１項記載のエンボス用ロール。
【請求項１０】
１部または全部の突條の表面形状を、その線の太さをところどころ変えた請求項３から９までのいずれか１項記載のエンボス用ロール。
【発明の詳細な説明】
【０００１】
【発明の属する技術分野】
本発明はトイレットペーパー、キッチンタオル、ティシュペーパー等のエンボス入り衛生紙製品およびそのエンボス加工をするためのエンボス用ロールに関するものである。
【０００２】
【従来の技術】
トイレットペーパーやキッチンタオル等の衛生紙製品には諸特性（柔軟性、崇高性、吸収性等）の改善を目的としてエンボス加工が施される。このうち特に１ｐｌｙでは主に柔軟性を目的として図１に示すようなドット状のパターンを施すことが多いが、この場合には以下の不具合点がある。
▲１▼表裏差が顕著となり、手触りが悪くなる。
▲２▼ロールの密度が低くなり、同じ巻き長さでも大径となり、輸送、保管のコストがかさむ。
▲３▼ロール中の空気層が多く、ロールの型崩れがしやすい。また包装時の操業性も悪くなる。
またその他にも図２に示すような図柄等を施したものもあるがいずれも柔軟性とロールの保型性等を満たすものはなかった。
【０００３】
【発明が解決しようとする課題】
本発明はこれらの課題を解決し、手触り感の改善、コンパクト化および保型性の改善等の効果に優れた衛生紙製品を提供することを目的としてなされたものである。
【０００４】
【課題を解決するための手段】
本発明は、長手方向にのみ沿って流れ模様を備えたエンボスを付与した１ｐｌｙのトイレットペーパー、キッチンタオル、又はティシュペーパーからなることを特徴とするエンボス入り衛生紙製品および流れ模様が長さ１０ｍｍ以上の直線または緩やかな曲線の組合せ集合体よりなり、該組合せ集合体を構成する直線または緩やかな曲線間の相互間隔が１〜１０ｍｍであるエンボス入り衛生紙製品に係わるものである。
【０００５】
また本発明は、エンボス入り衛生紙製品にエンボス加工を施すためのエンボス用ロールにおいて、該ロールの表面にその円周方向にのみ沿って流れ模様を備えたエンボスを付与するための突條を形成したことを特徴とするエンボス用ロール、突條が見かけ長さ１０ｍｍ以上の直線状または緩やかな曲線状であり、夫々の突條同士の間隔が１〜１０ｍｍであるエンボス用ロールおよび突條頂面の巾が０．１〜３．０ｍｍ、突條の高さが０．０１〜２．０ｍｍであるエンボス用ロールに係わるものである。
【０００６】
更に又本発明は、突條の頂面に滑り止めとなる微細な突起あるいは溝を設けたエンボス用ロール、突條の側面に滑り止めとなる微細な突起あるいは溝を設けたエンボス用ロールおよび突條面の底面に滑り止めとなる微細な突起あるいは溝を設けたエンボス用ロールに係わるものである。
【０００７】
更に又本発明は、１部または全部の突條の表面形状に、その長手方向に沿って規則的な振幅を持たせたエンボス用ロール、および１部または全部の突條の表面形状を、連続線状もしくは破線状としたエンボス用ロール、および１部または全部の突條の表面形状を、その線の太さをところどころ変えたエンボスロールに係わるものである。
【０００８】
【作用】
本発明は図３に示すような流れ模様を備えたエンボスを付与することで上記問題点を解消する。加工には以下の形状を備えたエンボスロールを使用する。
・突起頂面の幅：０．１〜３．０ｍｍ、見かけ長さ：１０ｍｍ以上の直線または緩やかな曲線状。
・突起どうしの間隔：１〜１０ｍｍ
・突起の高さ：０．０１〜２．０ｍｍ
・ロールの幅方向あるいは円周方向に平行な直線と交わる突起が少なくとも１つ存在する。
・突起頂面、側面、底面に滑り止めとなる微細な突起あるいは溝を設けても良い。
【０００９】
【実施例】
以下に本発明の実施例を示す。
[実施例１]
図１−Ａに示すドット状エンボスパターン（比較例１）、図２に示す絵柄エンボスパターン（比較例２）、図１−Ｂに示すペブルパターン（pebble pattern）（ドット状パターンの別例）（比較例３）および図３に示す流れ模様エンボスパターン（本発明例）を施したトイレットペーパーについて紙質の変化をテストした。結果は次の通りである。
【００１０】
パターン：ドット状、絵柄、流れ模様、ドットペブル状
原    紙：１ｐｌｙ  トイレットペーパー（２０ｇ／ｍ２）
【００１１】
【表１】
0004641362.tif 000002
【００１２】
坪量      ＪＩＳ  Ｐ  ８１２４に準じて測定。
紙厚      ＪＩＳ  Ｐ  ８１１８に準じて測定。
引張強度  ＪＩＳ  Ｐ  ８１１３に準じて測定、紙の縦方向強度値と横方向強度値の相乗平均を求めた。
ハンドフィール値：試料表面を親指と人差し指でこすり、表面の感触を評価後手のひらの中でおだやかに握りつぶし、試料のこしを評価する。同様に、試料に近いと思われる標準試料についても、同様に表面の感触及びこしを評価し、試料と比較してハンドフィール値の格付けを行う。試料及び標準試料について、各５回繰り返した後、平均値を算出する。
【００１３】
[実施例２]
図４は本発明のエンボス用ロールの表面形状を示し不規則な流れ模様を形成している突起頂面の見かけ長さ（Ｌ）は１０ｍｍ以上の直線または緩やかな曲線状となっている。
またｘ−ｘ断面を示す図５のように突起頂面の巾は０．１〜３．０ｍｍ、突起の高さは０．０１ｍｍ〜２．０ｍｍとなっている。
【００１４】
[実施例３]
図６および図７はロール表面の突起の例示図で突起曲線（１）に規則的な振幅（うねり）を持たせたもので、振幅のないもしくは少ないものよりエンボス加工時の滑りが起り難く、エンボスパターンがしっかり入る利点を持つ。
この突起曲線（１）は図６のように連続でもよいが、図７のように破線（１−１）でもよく更に又線の太さをところどころ変えてもよい（１−２）。
【００１５】
［実施例４］
突起の頂面、側壁、底面に滑り止め用の細かい突起もしくは溝を付けた例を示す。
図８は突起曲線（１）にその長手方向に直角に細かい浅い溝（２）を付けた例で、図９に示すように突起の頂面に突起の配列方向と直角方向に細かい溝（２）を付けることにより達成される。
図１０は突起曲線（１）の長手方向に沿ってその側面のところどころを膨ませたり凹ましたりして滑り止め（３）を形成した例で、図１１に示すように突起の側面に小さな膨出部による滑り止め（３）を形成するか図１２に示すように突起の側面に小さな凹みによる滑り止め（３’）を付けることにより達成される。
これらの滑り止め（３）（３’）の位置、大きさは突起曲線（１）の突起巾、突起高さを超えない範囲で任意に修正できる。
図１３は突起曲線（１）（１）間を細かい突起（４）で結んだ例で突起曲線（１）と直角方向に細かい突起（４）が設けられている。これら突起（４）は図１４のように所々でも図１５のように全体に施してもよい。
これら滑り止め（２）（３）（３’）（４）は直角に組合せて実施することができる。
【００１６】
［実施例５］
図１６〜図２１はトイレットペーパーにその長手方向（ＭＤ方向）または長手方向に直交する方向（ＣＤ方向）に沿って規則的な流れ模様を加工するためのエンボスロールの概略図を示す。
図１６は突起曲線（１）がＭＤ方向に直線として配列され、曲線（１）は連続している。
これにより得られるエンボス入りトイレットペーパーは横方向等間隔で長手方向に一連のエンボス條群を有することになる。
図１７は図１６における突起曲線（１）が不連続の破線になっている例を示す。
図１８は突起曲線（１）がＣＤ方向に直線として配列され曲線は連続している。
これにより得られるエンボス入りトイレットペーパーは長手方向等間隔で横方向に一連のエンボス條群を有することになる。
図１９は図１８における突起曲線（１）が不連続の破線となっている例である。
図２０はエンボスロールの周面に一連のスパイラル曲線よりなる突起曲線（１）が形成されている例である。
これにより得られるエンボス入りトイレットペーパーはＭＤ方向又はＣＤ方向に交叉した連続した直線が等間隔に配列されたエンボス條群を有することになる。
図２１は図２０において突起曲線（１）が不連続の破線となっている例を示す。
【００１７】
【発明の効果】
本発明によれば、▲１▼手触り感の改善（ハンドフィールのアップ、表裏差の解消）、▲２▼ロール密度が高くコンパクト化が可能（同じ径で長巻きが、同じ長さでは小径化が可能）、▲３▼保型性改善の効果が得られる。
【図面の簡単な説明】
【図１−Ａ】    従来のエンボスパターン（ドット）を示す。
【図１−Ｂ】    従来のエンボスパターン（ペブルドット）を示す。
【図２】    従来のエンボスパターン（絵柄）を示す。
【図３】    本発明のエンボスパターン（流れ模様）を示す。
【図４】    本発明のロール表面形状（展開図の１部）を示す。
【図５】    図４のｘ−ｘ断面図。
【図６】    本発明のロール表面の突起曲線を示す例示図。
【図７】    図６の他の例示図。
【図８】    本発明のロール表面の突起曲線の他の例示図。
【図９】    図８の要部斜視図。
【図１０】    本発明のロール表面の突起曲線の他の例示図。
【図１１】    図１０の要部斜視図。
【図１２】    図１０の他の要部斜視図。
【図１３】    本発明のロール表面の突起曲線の他の例示図。
【図１４】    図１３の要部斜視図。
【図１５】    図１３の他の要部斜視図。
【図１６】    トイレットペーパーにＭＤ方向に加工するためのエンボスロールの概略図。
【図１７】    図１６の他の例を示すエンボスロールの概略図。
【図１８】    トイレットペーパーにＣＤ方向に加工するためのエンボスロールの概略図。
【図１９】    図１８の他の例を示すエンボスロールの概略図。
【図２０】    トイレットペーパーにスパイラル曲線加工するためのエンボスロールの概略図。
【図２１】    図２０の他の例を示すエンボスロールの概略図。
【符号の説明】
１………突起曲線
１−１…突起曲線の破線部分
１−２…突起曲線の太さ変更部分
２………細かい（浅い）溝
３，３’…滑り止め
４………細かい突起
【図１】
0004641362.tif 000003
【図２】
0004641362.tif 000004
【図３】
0004641362.tif 000005
【図４】
0004641362.tif 000006
【図５】
0004641362.tif 000007
【図６】
0004641362.tif 000008
【図７】
0004641362.tif 000009
【図８】
0004641362.tif 000010
【図９】
0004641362.tif 000011
【図１０】
0004641362.tif 000012
【図１１】
0004641362.tif 000013
【図１２】
0004641362.tif 000014
【図１３】
0004641362.tif 000015
【図１４】
0004641362.tif 000016
【図１５】
0004641362.tif 000017
【図１６】
0004641362.tif 000018
【図１７】
0004641362.tif 000019
【図１８】
0004641362.tif 000020
【図１９】
0004641362.tif 000021
【図２０】
0004641362.tif 000022
【図２１】
0004641362.tif 000023